(57)【要約】【課題】耐発音性及び耐摩耗性を向上できる摩擦伝動ベルトを提供する。【解決手段】ベルト背面を形成する伸張層５と、この伸張層の一方の面に形成され、かつその側面でプーリと接して摩擦係合する圧縮ゴム層２と、前記伸張層と前記圧縮ゴム層との間にベルト長手方向に沿って埋設される心線１とを備えた摩擦伝動ベルトであって、前記圧縮ゴム層のプーリと接する少なくとも一部の表面を、軟化点又は融点が加硫温度を超える耐熱性繊維と樹脂成分とが混在した繊維樹脂混合層で被覆し、かつ前記耐熱性繊維の少なくとも一部を、前記繊維樹脂混合層から前記圧縮ゴム層に亘って埋設させる。圧縮ゴム層に埋設した繊維表面の少なくとも一部には樹脂成分が付着していてもよい。圧縮ゴム層に埋設した耐熱性繊維の埋設深さは５〜１５０μｍ程度である。耐熱性繊維は、熱可塑性繊維及び軟化点又は融点が１７０℃以上の耐熱性繊維であってもよい。【選択図】図１
2014111981.tif 000002
【特許請求の範囲】
【請求項１】
ベルト背面を形成する伸張層と、この伸張層の一方の面に形成され、かつその側面でプーリと接して摩擦係合する圧縮ゴム層と、前記伸張層と前記圧縮ゴム層との間にベルト長手方向に沿って埋設される心線とを備えた摩擦伝動ベルトであって、前記圧縮ゴム層のプーリと接する少なくとも一部の表面が、樹脂成分と加硫温度を超える軟化点又は融点を有する耐熱性繊維とが混在した繊維樹脂混合層で被覆され、かつ前記耐熱性繊維が、前記繊維樹脂混合層から前記圧縮ゴム層に亘って埋設された繊維を含む摩擦伝動ベルト。
【請求項２】
圧縮ゴム層に埋設した耐熱性繊維表面の少なくとも一部に樹脂が付着している請求項１記載の摩擦伝動ベルト。
【請求項３】
圧縮ゴム層に埋設した耐熱性繊維の埋設深さが５〜１５０μｍである請求項１又は２記載の摩擦伝動ベルト。
【請求項４】
耐熱性繊維が、繊維樹脂混合層の表面から露出している請求項１〜３のいずれかに記載の摩擦伝動ベルト。
【請求項５】
耐熱性繊維が親水性繊維であり、かつ圧縮ゴム層がベルト長手方向に互いに平行して延びる複数のリブを有するＶリブドベルトである請求項１〜４のいずれかに記載の摩擦伝動ベルト。
【請求項６】
耐熱性繊維が長繊維及び短繊維を含む請求項１〜５のいずれかに記載の摩擦伝動ベルト。
【請求項７】
樹脂成分が、軟化点又は融点が加硫温度以下の熱可塑性樹脂である請求項１〜６のいずれかに記載の摩擦伝動ベルト。
【請求項８】
繊維樹脂混合層が界面活性剤を含む請求項１〜７のいずれかに記載の摩擦伝動ベルト。
【請求項９】
円筒状ドラムに、伸張層を形成するためのシートと、心線と、圧縮ゴム層を形成するための未加硫ゴムシートと、繊維樹脂混合層を形成するためのシートとを順次巻き付ける巻付工程、巻き付けられた積層シートを金型に押し付けて前記未加硫ゴムシートを加硫成形する加硫成形工程を含む摩擦伝動ベルトの製造方法であって、前記加硫成形工程が、前記未加硫ゴムシートを加硫温度未満の温度で予備加熱した後、加硫する請求項１記載の摩擦伝動ベルトの製造方法。
【請求項１０】
繊維樹脂混合層を形成するためのシートが、軟化点又は融点が加硫温度以下の熱可塑性樹脂を含むシート又は不織布（１）と、耐熱性繊維を含む不織布（２）とを含む請求項９記載の製造方法。
【請求項１１】
軟化点又は融点が加硫温度以下の熱可塑性樹脂を含むシート又は不織布（１）及び耐熱性繊維を含む不織布（２）から選択された少なくとも一方が、界面活性剤を含む請求項１０記載の製造方法。
【請求項１２】
巻付工程において、軟化点又は融点が加硫温度以下の熱可塑性樹脂を含むシート又は不織布（１）を圧縮ゴム層側に配設し、耐熱性繊維を含む不織布（２）をプーリ側に配設する請求項９〜１１のいずれかに記載の製造方法。
【請求項１３】
軟化点又は融点が加硫温度以下の熱可塑性樹脂を含むシート又は不織布と耐熱性繊維を含む不織布とが予め一体化された積層体を用いる請求項９〜１２のいずれかに記載の製造方法。
【発明の詳細な説明】
【技術分野】
【０００１】
本発明は、自動車エンジン補機駆動に用いられる摩擦伝動ベルト及びその製造方法に関し、詳しくは、プーリと接する摩擦伝動面が樹脂成分及び耐熱性繊維を含む繊維樹脂混合層で被覆されたＶリブドベルト及びその製造方法に関する。
【背景技術】
【０００２】
ゴム工業分野の中でも、自動車用部品においては高機能、高性能化が望まれている。このような自動車部品に用いられるゴム製品の中に動力伝動ベルトがあり、例えば、自動車のエアコンプレッサやオルタネータ等の補助駆動の動力伝動に広く用いられている。そして、近年、静粛化についての厳しい要求があり、特に自動車の駆動装置においてはエンジン音以外の音は異音とされるため、ベルトの発音対策が要請されている。
【０００３】
例えば、特許文献１（特開２００３−２０２０５５号公報）には、ベルト本体の下面にベルト長さ方向に延びる各リブ部に、綿短繊維と、前記各リブ部を構成する主体ゴムの弾性率及び前記綿短繊維の弾性率の中間の弾性率を有する中間短繊維とを含有したＶリブドベルトが開示されている。
【０００４】
この文献には、綿短繊維が水を吸収して濡れた状態から乾燥した状態への移行に伴う摩擦係数の変化をスムーズにするとともに、各リブ部が、綿短繊維と中間短繊維と主体ゴムとを含めた３種類以上の摩擦係数を有することで、急激なスティックスリップ現象を抑制し、滑りと密着との繰り返しを防いで異音の発生を抑えることができると記載されている。
【０００５】
しかし、綿短繊維や中間短繊維、主体ゴムの作用でスリップ現象や異音の発生を抑制するには、これらの短繊維を各リブ部の表面に露出させる必要があり、これらの短繊維を各リブ部の表面に露出させるためには、短繊維をベルト幅方向に配向させた未加硫の圧縮層を成形、加硫した後に、この圧縮層を切削（研磨）加工してリブを形成する必要がある。そのため、Ｖリブドベルトの製造コストが増加することになるとともに、切削によって発生するゴム材料のロスが問題になる。
【０００６】
そこで、このようなＶリブドベルトの製造コストやゴム材料のロスを少なくするために、例えば、特許文献２（特開２００８−２８１１５３号公報）には、内周部にベルト長手方向に延在する複数のリブ部が未研磨のゴムからなり、プーリと当接する表面（摩擦伝動面）は短繊維（植毛糸）が立毛して表面繊維層を形成し、さらに前記リブ部内部には前記短繊維が埋没した植毛ゴム層が形成され、その層厚がリブ表面から３５〜２００μｍの範囲にあるＶリブドベルト及びその製造方法が開示されている。この文献には、植毛ゴム層の形成方法として、液状の接着剤をスプレー法やディップ法などにより塗布した後、パイル長さ０．１〜５ｍｍの短繊維（ポリアミドなど）を静電植毛している。
【０００７】
このＶリブドベルトは、内型に伸張層、心線、圧縮層、接着層（液状の接着剤の層）、植毛層の順に積層して形成した未加硫ベルトスリーブを、内側にリブ刻印を有する外型に向かって内周側から押圧して加硫することでリブを刻設した加硫ベルトスリーブを作製し、この加硫ベルトスリーブを所望の幅にカットして製造される。この製造方法によれば、Ｖリブドベルトは研磨することなく、リブが形成されるため、前記問題が解決される。また、この文献によれば、このＶリブドベルトは、摩擦伝動面に形成された表面繊維層が走行初期の発音を抑え、リブ部内部に形成された植毛ゴム層が、ベルトが長時間走行した後においても、短繊維が圧縮ゴム層内に留まることで発音を抑制することができると記載されている。
【０００８】
しかし、ベルト製造時における植毛前の接着剤塗布では、液状の接着剤を極めて薄く塗布するため、前記未加硫ベルトスリーブを外型のリブ刻印に押圧してリブを形成する際に、加熱により軟化して流動状態にある圧縮ゴム層が、植毛した短繊維の多くをその内部に取り込んでしまい、プーリと当接する表面（特にリブ側面中央部付近）には十分な短繊維が存在しておらず、走行初期に異音が発生する虞があった。
【０００９】
特許文献３（特開２０１０−１０１４８９号公報）には、エチレン−α−オレフィンエラストマー系のエラストマー歯が熱可塑性材料からなるバリア層で覆われ、さらに前記バリア層が、織布又は不織布で形成された外側のカバーで覆われ、かつ前記エラストマー歯の少なくともフランク上にある前記外側のカバーが前記バリア層の厚みの一部分内に部分的に含まれている伝動ベルトが開示されている。この文献には、バリア層がベルト成型中の歯用ゴム（エラストマー歯を構成する原材料）のカバーへの通過を抑制し、また、バリア層の厚みの一部分内にカバー（ファイバー又はヤーン）を部分的に埋設してバリア層の耐亀裂性を向上させるとともに、埋設されない残りの部分をプーリ側に突出（露出）させることでノイズの発生を回避することができると記載されている。また、バリア層とカバーとはカレンダー加工及び圧延によって予め一体化されており、不織ファイバがフィルム内に部分的のみに侵入し、生の状態から加硫状態に進行する歯用ゴム内には決して侵入しないことが可能であると記載されている。さらに、カバーを形成する織布又は不織布としては、ポリエチレンをベースとする織布又は不織布が特に適していると記載されている。
【００１０】
しかし、この駆動ベルトでは、カバーはバリア層の厚みの一部分内にのみ部分的に埋設されているだけであり、ベルト走行に伴って摩耗が進行していくと、やがてはカバーが存在しないバリア層のみが露出することになるため、バリア層の耐亀裂性や耐摩耗性が低下する虞があった。また、このような状態になると、バリア層はカバーで補強されていないため、プーリからのせん断によりバリア層がエラストマー歯の表面より剥離したり、バリア層の内部で破壊が生じたりする可能性もある。さらに、この駆動ベルトは、歯用ゴムを硬化させるための過酸化物又は硬化能を有するその他の薬剤を用いることで、歯とバリア層との結合を促進させているものの、化学的な作用だけではバリア層の剥離を抑えるのに十分であるとはいえず、また、バリア層内部の破壊に対しては効果がない。
【先行技術文献】
【特許文献】
【００１１】
【特許文献１】特開２００３−２０２０５５号公報（請求項１、段落［０００９］［００１５］）
【特許文献２】特開２００８−２８１１５３号公報（特許請求の範囲、段落［００１１］［００２３］、実施例）
【特許文献３】特開２０１０−１０１４８９号公報（特許請求の範囲、段落［００３７］［００３９］［００４０］［００５１］）
【発明の概要】
【発明が解決しようとする課題】
【００１２】
従って、本発明の目的は、耐発音性及び耐摩耗性を向上できる摩擦伝動ベルト及びその製造方法を提供することにある。
【００１３】
本発明の他の目的は、被水時の耐発音性を向上できる摩擦伝動ベルト及びその製造方法を提供することにある。
【００１４】
本発明のさらに他の目的は、生産性が高く、長期間に亘り、耐発音性及び耐摩耗性を向上できる摩擦伝動ベルト及びその製造方法を提供することにある。
【課題を解決するための手段】
【００１５】
本発明者らは、前記課題を達成するため鋭意検討した結果、摩擦伝動ベルトにおける圧縮ゴム層のプーリと接する少なくとも一部の表面を、樹脂成分と加硫温度を超える軟化点又は融点を有する耐熱性繊維とが混在した繊維樹脂混合層で被覆し、前記繊維の少なくとも一部を、前記繊維樹脂混合層から前記圧縮ゴム層に亘って埋設させることにより、耐発音性及び耐摩耗性を向上できる。
【００１６】
すなわち、本発明の摩擦伝動ベルトは、ベルト背面を形成する伸張層と、この伸張層の一方の面に形成され、かつその側面でプーリと接して摩擦係合する圧縮ゴム層と、前記伸張層と前記圧縮ゴム層との間にベルト長手方向に沿って埋設される心線とを備えた摩擦伝動ベルトであって、前記圧縮ゴム層のプーリと接する少なくとも一部の表面が、樹脂成分と加硫温度を超える軟化点又は融点を有する耐熱性繊維とが混在した繊維樹脂混合層で被覆され、かつ前記繊維樹脂混合層から前記圧縮ゴム層に亘って埋設された耐熱性繊維を含む。本発明の摩擦伝動ベルトでは、圧縮ゴム層に埋設した耐熱性繊維表面の少なくとも一部に樹脂が付着していてもよい。圧縮ゴム層に埋設した耐熱性繊維の埋設深さは５〜１５０μｍ程度である。前記耐熱性繊維は、繊維樹脂混合層の表面から露出していてもよい。本発明の摩擦伝動ベルトは、耐熱性繊維が親水性繊維であり、かつ圧縮ゴム層がベルト長手方向に互いに平行して延びる複数のリブを有するＶリブドベルトであってもよい。前記耐熱性繊維は長繊維及び短繊維を含んでいてもよい。前記樹脂成分は、軟化点又は融点が加硫温度以下の熱可塑性樹脂であってもよい。前記繊維樹脂混合層は、界面活性剤を含んでいてもよい。
【００１７】
本発明には、円筒状ドラムに、伸張層を形成するためのシートと、心線と、圧縮ゴム層を形成するための未加硫ゴムシートと、繊維樹脂混合層を形成するためのシートとを順次巻き付ける巻付工程、巻き付けられた積層シートを金型に押し付けて前記未加硫ゴムシートを加硫成形する加硫成形工程を含む前記摩擦伝動ベルトの製造方法であって、前記加硫成形工程が、前記未加硫ゴムシートを加硫温度未満の温度で予備加熱した後、加硫する製造方法も含まれる。前記繊維樹脂混合層を形成するためのシートは、軟化点又は融点が加硫温度以下の熱可塑性樹脂を含むシート又は不織布（１）と、耐熱性繊維を含む不織布（２）とを含んでいてもよい。前記軟化点又は融点が加硫温度以下の熱可塑性樹脂を含むシート又は不織布（１）及び耐熱性繊維を含む不織布（２）から選択された少なくとも一方は、界面活性剤を含んでいてもよい。前記巻付工程において、軟化点又は融点が加硫温度以下の熱可塑性樹脂を含むシート又は不織布（１）を圧縮ゴム層側に配設し、耐熱性繊維を含む不織布（２）をプーリ側に配設してもよい。前記巻付工程において、特に、軟化点又は融点が加硫温度以下の熱可塑性樹脂を含むシート又は不織布と耐熱性繊維を含む不織布とが予め一体化された積層体を用いてもよい。
【発明の効果】
【００１８】
本発明では、摩擦伝動ベルトにおける圧縮ゴム層のプーリと接する少なくとも一部の表面が、樹脂成分と加硫温度を超える軟化点又は融点を有する耐熱性繊維とが混在した繊維樹脂混合層で被覆されており、かつ前記繊維が、前記繊維樹脂混合層から前記圧縮ゴム層に亘って埋設された繊維を含むため、耐発音性及び耐摩耗性を向上できる。また、繊維が親水性繊維を含むことにより、被水時の耐発音性を向上できる。さらに、本発明の摩擦伝動ベルトは、切削工程が不要であるため、生産性が高い上に、長期間に亘り、耐発音性及び耐摩耗性を向上できる。
【図面の簡単な説明】
【００１９】
【図１】図１は、Ｖリブドベルトの一例を示す概略断面図である。
【図２】図２は、繊維樹脂混合層における繊維の埋設状態を説明するための模式図である。
【図３】図３は、実施例での通常走行時の摩擦係数測定試験のレイアウトを示す概略図である。
【図４】図４は、実施例での注水走行時の摩擦係数測定試験のレイアウトを示す概略図である。
【図５】図５は、実施例でのミスアライメント発音試験のレイアウトを示す概略図である。
【図６】図６は、実施例での摩耗試験のレイアウトを示す概略図である。
【図７】図７は、実施例８で得られたベルトのリブ側面（摩擦伝動面）のマイクロスコープ写真である。
【図８】図８は、実施例８で得られたベルトのリブ断面の走査型電子顕微鏡写真である。
【発明を実施するための形態】
【００２０】
［摩擦伝動ベルト］
本発明の摩擦伝動ベルトは、ベルト背面を形成する伸張層と、この伸張層の一方の面に形成され、かつその側面でプーリと接して摩擦係合する圧縮ゴム層と、前記伸張層と前記圧縮ゴム層との間にベルト長手方向に沿って埋設される心線とを備えた摩擦伝動ベルトであって、前記圧縮ゴム層のプーリと接する少なくとも一部の表面が、樹脂成分と加硫温度を超える軟化点又は融点を有する耐熱性繊維とが混在した繊維樹脂混合層で被覆されており、かつ前記耐熱性繊維が、前記繊維樹脂混合層から前記圧縮ゴム層［特に、圧縮ゴム層内部の表面近傍（繊維樹脂混合層との界面近傍）］に亘って埋設された繊維を含む。本発明では、圧縮ゴム層のプーリと接する少なくとも一部の表面（摩擦伝動面）は、複数本の繊維と樹脂とが混在した繊維樹脂混合層で被覆されているため、従来のゴムが露出した摩擦伝動ベルトに比べて摩擦伝動面の摩擦係数を低くすることができ、ベルト走行時のスリップやミスアライメントによる発音を抑制することができる。
【００２１】
本発明の摩擦伝動ベルトでは、心線と伸張層又は圧縮ゴム層との接着性を向上させるために、必要に応じて圧縮ゴム層と伸張層との間に接着層を設けてもよい。接着層を設ける形態としては、心線を埋設する形態であってもよく、圧縮ゴム層と接着層又は接着層と伸張層との間に心線を埋設する形態であってもよい。
【００２２】
摩擦伝動ベルトとしては、例えば、Ｖリブドベルト、ローエッジＶベルト、平ベルトなどの各種の摩擦伝動ベルトなどが挙げられる。これらのうち、研磨による生産工程が煩雑であるＶリブドベルト、Ｖベルトが好ましく、被水による発音が問題となるＶリブドベルトが特に好ましい。
【００２３】
図１は、Ｖリブドベルトの一例を示す概略断面図であり、ベルト幅方向に切断した概略断面図である。
【００２４】
この例では、Ｖリブドベルトは、ベルト下面（内周面）からベルト上面（背面）に向かって順に、複数のリブ部３を有する圧縮ゴム層２、接着層６、心線１、ゴム組成物で形成された伸張層５を積層して構成されており、圧縮ゴム層２には短繊維４がリブ部の形状に沿った流動状態（リブ部の表面近傍においては、短繊維４はリブ部３の外形に沿って配向した状態）となるように配向している。前記リブ部３は、ベルト本体の内周面に、ベルトの長手方向に沿って複数列で延びるリブ部３（図１では、リブ数は３）を有しており、このリブ部３の長手方向に対して直交する方向における断面形状は、ベルト外周側（リブ部を有さず、プーリと摩擦係合しない側）から内周側に向かって幅が小さくなる（先端に向かって先細る）逆台形状（断面Ｖ字形状）である。また、前記心線１は、ベルト長手方向に沿って本体内に埋設されており、その一部が伸張層５に接するとともに、残部が接着層６に接している。さらに、圧縮ゴム層２には、少なくともプーリと接する一部の表面（リブ部３の摩擦伝動面）が繊維樹脂混合層で被覆されている（図示せず）。
【００２５】
（繊維樹脂混合層）
繊維樹脂混合層は、圧縮ゴム層のプーリと接する摩擦伝動面の少なくとも一部に形成されていればよいが、生産性などの点から、通常、圧縮ゴム層の表面全体に形成される。繊維樹脂混合層には、加硫温度を超える軟化点又は融点を有する耐熱性繊維と樹脂成分とが混在しており、圧縮ゴム層の表面に耐熱性繊維を含有させることにより、摩擦伝動面を補強するともに、摩擦係数を低下できる。さらに、繊維樹脂混合層における耐熱性繊維のうち、少なくとも一部の繊維は、前記繊維樹脂混合層から前記圧縮ゴム層内部の表面近傍（繊維樹脂混合層との界面近傍）に亘って埋設されている。そのため、このような２層を跨いで埋設された耐熱性繊維を含むことにより、圧縮ゴム層への埋設部分がアンカー効果の役割を果たして繊維樹脂混合層と圧縮ゴム層表層との界面を強固に結合でき、繊維樹脂混合層の圧縮ゴム層からの剥がれ（剥離）を防止できる。
【００２６】
図２は、繊維樹脂混合層における繊維の埋設状態を説明するための模式図である。図２に示されるように、繊維樹脂混合層に含まれる耐熱性繊維は、種々の形態で埋設されている。すなわち、耐熱性繊維１１は、その一部が繊維樹脂混合層と圧縮ゴム層内部の界面近傍に埋設され、残部が繊維樹脂混合層の表面から露出（又は起毛）した形態である。耐熱性繊維１２は、その一部分が繊維樹脂混合層に埋設され、残りの部分が繊維樹脂混合層の表面から露出した形態である。耐熱性繊維１３は、その全部が繊維樹脂混合層に埋設された形態である。耐熱性繊維１４は、その全部が圧縮ゴム層内部の界面近傍に埋設された形態である。耐熱性繊維１５は、その一部が圧縮ゴム層表面の近傍内部に埋設し、残部が繊維樹脂混合層に埋設された形態である。耐熱性繊維１６は、繊維樹脂混合層の表面から露出した耐熱性繊維（耐熱性繊維１１や耐熱性繊維１２など）と絡み合って保持された形態である。
【００２７】
本発明では、耐熱性繊維は、繊維樹脂混合層の表面から露出していればよいが、例えば、耐熱性繊維１１，１２，１６のように、起毛しているのが好ましい。耐熱性繊維が起毛することにより、摩擦伝動面の摩擦係数を一層低下できる。また、この起毛（特に、親水性繊維で形成された耐熱性繊維の起毛）は、注水時の水（圧縮ゴム層とプーリ間の水）を効率よく掃きだすことができ、スリップを抑制して注水時の耐発音性を向上させることができる。そのため、圧縮ゴム層がベルト長手方向に互いに平行して延びる複数のリブを有するＶリブドベルトに対して特に有用である。
【００２８】
前記耐熱性繊維のうち、耐熱性繊維１１，１２，１３，１５は、樹脂成分と混在して繊維樹脂混合層を形成し、この繊維樹脂混合層で圧縮ゴム層表面を被覆することにより、摩擦伝動面の摩擦係数を低下させて発音を抑制できる。また、繊維樹脂混合層の内部に含まれる耐熱性繊維（特に耐熱性繊維１３）は補強の役割を果たすため、繊維樹脂混合層の耐摩耗性や耐亀裂性などの力学特性を向上できる。
【００２９】
繊維樹脂混合層に少なくとも一部分が埋設された耐熱性繊維１１，１２，１３，１５のうち、耐熱性繊維１１，１５は圧縮ゴム層表面の近傍内部にも埋設されている。このような埋設形態とすることで、耐熱性繊維１１，１５が繊維樹脂混合層と圧縮ゴム層の表層とを結合するアンカーの役割を果たし、繊維樹脂混合層と圧縮ゴム層の表層との界面を強固に結合できるため、繊維樹脂混合層が圧縮ゴム層の表面から剥離するのを防止できる。また、繊維樹脂混合層の摩耗が進行して圧縮ゴム層の表面が露出しても、耐熱性繊維１１，１４，１５が摩耗によりその内部から露出するとともに、圧縮ゴム層の界面近傍で層状に存在して圧縮ゴム層を補強する役割を担うため、ベルトを長時間走行させても圧縮ゴム層（摩擦伝動面）の耐摩耗性を維持できる。すなわち、このような繊維樹脂混合層によって、本発明の摩擦伝動ベルトにおける摩擦伝動面は、外側（プーリ側）の繊維樹脂混合層と、この繊維樹脂混合層の内側の繊維を埋設した圧縮ゴム層の界面近傍の層の二つの層により、耐摩耗性を一層向上できる。
【００３０】
耐熱性繊維１６は、耐熱性繊維１１，１２の表面から露出した一部と絡み合って保持された形態であり、繊維樹脂混合層には埋設されていない。この耐熱性繊維１６が繊維樹脂混合層の少なくとも一部を覆う繊維層を形成することにより、耐摩耗性を更に向上できる。すなわち、詳細には、圧縮ゴム層は、プーリ側から繊維層（表面に露出している繊維で形成された層）、繊維樹脂混合層、圧縮ゴム層内部の界面近傍（埋設された繊維を含む層）の層の順に三つの層でガードされた構成となっており、摩擦伝動面の耐摩耗性及び耐発音性を長期に亘って維持できる。
【００３１】
圧縮ゴム層内部の界面近傍に、少なくとも一部が埋設されている耐熱性繊維１１，１４，１５のうち、少なくとも一部の耐熱性繊維（例えば、耐熱性繊維１１，１４）は、樹脂成分を付着した状態で圧縮ゴム層内部の界面近傍に埋設されていてもよい。本発明の摩擦伝動フィルムは、後述する製造方法で得られるため、リブ形成時において、耐熱性繊維が圧縮ゴム層内部の界面近傍に埋設する際に、樹脂成分が耐熱性繊維の表面に付着する。圧縮ゴム層に埋設した耐熱性繊維の表面に樹脂成分が付着することにより、この樹脂成分を介して、耐熱性繊維と圧縮ゴム層を形成する部材（例えば、ゴム組成物）と強固に結合できる。すなわち、両者の密着性（接着性）を向上できるため、耐熱性繊維の脱落（抜け）を抑制できるとともに、繊維樹脂混合層が圧縮ゴム層の表面から剥離するのを確実に防止できる。さらに、耐熱性繊維が圧縮ゴム層に強固に固定されるため、繊維樹脂混合層が摩耗の進行により摩滅したとしても、圧縮ゴム層内部の界面近傍から耐熱性繊維の脱落が抑制されることにより、圧縮ゴム層表層（摩擦伝動面）の耐摩耗性、耐発音性を長期に亘って維持できる。
【００３２】
圧縮ゴム層に埋設した耐熱性繊維の埋設深さ（圧縮ゴム層の界面近傍で耐熱性繊維が埋設されて層状に形成された繊維ゴム混合層の厚み）は、耐熱性繊維が圧縮ゴム層内部の界面近傍から脱落するのを抑制でき、圧縮ゴム層の表層に対する繊維樹脂混合層の剥離を確実に防止できる点から、例えば、５〜１５０μｍ、好ましくは１０〜１００μｍ、さらに好ましくは１５〜８０μｍ（特に好ましくは２０〜６０μｍ）程度である。耐熱性繊維の埋設深さが浅すぎると、耐熱性繊維が脱落し易くなり、繊維樹脂混合層の圧縮ゴム層表層からの剥がれを十分に防止することができず、一方、繊維の埋設深さが深すぎると、耐熱性繊維が埋設する厚みが大きくなるため、ベルトがプーリより逆曲げを受けてリブが伸張されたとき、リブ表面に亀裂が発生し易くなり、ベルトの寿命が短くなる虞がある。なお、本発明の摩擦伝動ベルトでは、前記繊維ゴム混合層は、圧縮ゴム層の界面近傍において略均一な厚みで埋設されている。
【００３３】
繊維樹脂混合層の厚みは、例えば、５〜１５０μｍ、好ましくは１０〜１２０μｍ、さらに好ましくは２０〜１００μｍ程度である。繊維樹脂混合層が薄すぎると、耐亀裂性や耐摩耗性が低下し、厚すぎると、繊維樹脂混合層の柔軟性を低下する。
【００３４】
なお、本明細書では、繊維の埋設深さ及び繊維樹脂混合層の厚みは、走査型電子顕微鏡写真（ＳＥＭ）に基づいて測定でき、任意の５箇所以上の平均値として求める。詳細は、後述する実施例に記載の方法で測定できる。
【００３５】
（１）耐熱性繊維
耐熱性繊維は、長繊維を含んでいてもよく、長繊維単独で形成された繊維であってもよいが、少なくとも短繊維を含むのが好ましい。さらに、耐熱性繊維は、種類の異なる耐熱性繊維（複数種の耐熱性繊維）を含んでいてもよい。
【００３６】
耐熱性繊維としては、加硫後も繊維形状を付与し、ベルトに諸機能を付与するために、加硫温度（例えば、１５０〜２００℃、特に１７０℃程度）を超える軟化点又は融点を有していればよく、各種の合成繊維、無機繊維を利用できる。耐熱性繊維の軟化点又は融点（又は分解点）は、加硫温度をＴとすると、例えば、Ｔ＋１０℃以上であってもよく、例えば、（Ｔ＋１０）〜（Ｔ＋４００）℃、好ましくは（Ｔ＋２０）〜（Ｔ＋３７０）℃、さらに好ましくは（Ｔ＋２０）〜（Ｔ＋３５０）℃程度である。耐熱性繊維は、加硫温度よりも高い軟化点又は融点を有するため、加硫後も繊維状の形態を維持しており、摩擦伝動面に所望の性能（耐熱性繊維の特性を反映）を付与できる。
【００３７】
耐熱性繊維としては、例えば、摩擦伝動ベルトで慣用的に利用される耐熱性繊維、例えば、天然繊維（綿、麻、レーヨン繊維などのセルロース系繊維など）；合成繊維［脂肪族ポリアミド繊維（ポリアミド６、ポリアミド６６、ポリアミド４６繊維など）、ポリエステル繊維（ポリブチレンテレフタレート、ポリエチレンテレフタレート、ポリエチレンナフタレート繊維などのポリＣ２−４アルキレンＣ６−１４アリレート系繊維など）、フッ素繊維（ポリテトラフルオロエチレン繊維など）、ポリアクリル繊維（ポリアクリロニトリル繊維など）、ポリビニルアルコール繊維、ポリフェニレンサルファイド（ＰＰＳ）繊維、ポリ−ｐ−フェニレンベンゾビスオキサゾール（ＰＢＯ）繊維、芳香族ポリアミ繊維（ｐ−アラミド、ｍ−アラミド繊維など）など］；無機繊維（カーボン繊維、ガラス繊維など）などが挙げられる。これらの耐熱性繊維は、単独で又は二種以上組み合わせて使用できる。
【００３８】
これらの耐熱性繊維は要求性能に応じて適宜選択でき、例えば、耐熱性繊維として、リブ表面の吸水性（親水性）を向上させて注水時の伝達性能を維持するとともに異音の発生を防止するためには、水との親和性（吸水性）の高い親水性繊維（特に、綿やレーヨン繊維などのセルロース系繊維）を用いるのが好ましい。また、摩擦伝動面の耐摩耗性を向上させるためには、耐熱性繊維として、例えば、脂肪族ポリアミド繊維（ナイロン繊維）や芳香族ポリアミド繊維（アラミド繊維）、ポリエステル繊維、ＰＢＯ繊維などの弾性率の高い繊維を用いるのが好ましい。さらに、摩擦伝動面の摩擦係数を低減するためには、耐熱性繊維として、例えば、フッ素繊維を用いるのが好ましい。なお、複数の機能を付与するために、複数の耐熱性繊維を組み合わせてもよい。
【００３９】
耐熱性繊維の繊維形態は、特に限定されず、モノフィラメント、マルチフィラメント、紡績糸（スパン糸）のいずれの形態であってもよく、これらの組み合わせであってもよい。
【００４０】
耐熱性繊維は、短繊維、長繊維のいずれでもよいが、少なくとも短繊維を含むのが好ましい。短繊維の平均長さは、例えば、１〜５００ｍｍ、好ましくは２〜３００ｍｍ、さらに好ましくは３〜２００ｍｍ（特に５〜１００ｍｍ）程度である。さらに、耐熱性繊維の圧縮ゴム層への埋設深さを調整できる点から、長繊維と短繊維とを組み合わせるのが特に好ましい。長繊維と短繊維とを組み合わせると、繊維樹脂混合層中で自由度の高い短繊維が、長繊維により束縛を受け、短繊維の多くが圧縮ゴム層中に取り込まれるのを抑制できるためであると推定できる。長繊維と短繊維との割合（質量比）は、長繊維／短繊維＝１／９９〜９０／１０、好ましくは５／９５〜５０／５０、さらに好ましくは１０／９０〜４０／６０程度である。長繊維の割合が多すぎると、繊維樹脂混合層の表面や圧縮ゴム層との界面に繊維を存在させるのが困難となり、少なすぎると、短繊維の圧縮ゴム層への埋設割合が多くなり易い。
【００４１】
長繊維はベルト長手方向に沿って配設されるのが好ましく、短繊維の多くが圧縮ゴム層中に取り込まれるのを抑制できるとともに、ベルト製造時の不織布の巻き付けが容易となる。また、リブが延びる方向と長繊維が配設される方向とが一致するため、材質として伸びが小さい繊維であっても適正なリブ形状を形成できる。
【００４２】
耐熱性繊維の平均繊維径は、例えば、５〜５０μｍ、好ましくは７〜４０μｍ、さらに好ましくは１０〜３５μｍ程度である。
【００４３】
耐熱性繊維には圧縮ゴム層との接着性を向上させる目的で、原料段階で接着処理を施してもよい。このような接着処理としては、耐熱性繊維をエポキシ又はイソシアネー化合物を有機溶媒（トルエン、キシレン、メチルエチルケトンなど）に溶解させた樹脂系処理液に浸漬処理したり、レゾルシン−ホルマリン−ラテックス液（ＲＦＬ液）などの処理液に浸漬処理してもよい。また、耐熱性繊維と圧縮ゴム層を形成する部材との接着性及び／又は摩擦伝動面の性能付与を目的として、例えば、ゴム組成物を前記有機溶媒に溶かしてゴム糊とし、このゴム糊に原料耐熱性繊維（不織布など）を浸漬処理して耐熱性繊維にゴム組成物を含浸、付着させてもよい。これらの処理は単独又は組み合わせて行うことができ、処理回数や処理順序は特に限定されず適宜変更して行なうことができる。
【００４４】
（２）樹脂成分
樹脂成分としては、加硫温度で溶融して前記繊維に対してバインダー的な役割を発現し、繊維樹脂混合層を形成するとともに、圧縮ゴム層に埋設する繊維の表面にも付着して繊維樹脂混合層と圧縮ゴム層との密着性を向上できればよく、通常、熱可塑性樹脂が使用されるが、加硫温度で溶融可能な熱硬化性樹脂であってもよい。
【００４５】
樹脂成分は、融点（又は軟化点）が加硫温度（例えば、１５０〜２００℃、特に１７０℃程度）以下であれば、特に材質は限定されないが、取り扱い性や汎用性などの点から、ポリエチレン系樹脂やポリプロピレン系樹脂などのオレフィン系樹脂が好ましい。さらに、オレフィン系樹脂の中でも、溶融しやすい点から、ポリエチレン（特に低密度ポリエチレン）が好ましい。これらの樹脂は、単独で又は二種以上組み合わせて使用できる。
【００４６】
樹脂成分の軟化点又は融点は、加硫温度をＴとすると、例えば、（Ｔ−１００）〜Ｔ℃、好ましくは（Ｔ−８０）〜（Ｔ−５）℃、さらに好ましくは（Ｔ−５０）〜（Ｔ−１０）℃程度である。
【００４７】
なお、樹脂成分の形状は、前記繊維同士の間隙を充填し、繊維の表面に付着されていればよく、特に限定されないが、後述するように、繊維状の原料樹脂を用いた場合には、加硫温度以下の融点（又は軟化点）を有する熱可塑性樹脂であっても、繊維形状が一部残存する場合がある。本発明では、原料として加硫温度以下の繊維状の樹脂を用いて、部分的に繊維形状が残存している成分は、耐熱性繊維ではなく、樹脂成分に分類する。
【００４８】
樹脂成分にも、耐熱性繊維と同様の接着処理（又は表面処理）を施してもよい。
【００４９】
樹脂成分と耐熱性繊維との割合（質量比）は、例えば、樹脂成分／耐熱性繊維＝９９／１〜１／９９程度の範囲から選択でき、例えば、９５／５〜５／９５、好ましくは８５／１５〜１５／８５、さらに好ましくは７５／２５〜２５／７５（特に７０／３０〜３０／７０）程度である。このような割合で樹脂成分と耐熱性繊維とを組み合わせることにより、圧縮ゴム層表面を繊維樹脂混合層で被覆するとともに、耐熱性繊維の少なくとも一部を繊維樹脂混合層から圧縮ゴム層表面の近傍内部に亘って埋設できる。
【００５０】
（３）界面活性剤
繊維樹脂混合層は、さらに界面活性剤を含んでいてもよい。繊維樹脂混合層が界面活性剤を含むと、界面活性剤が摩擦伝動面にブリードアウトして膜（界面活性剤層）を形成し、摩擦伝動面における水との濡れ性が向上することにより、耐熱性繊維の起毛による水の掃きだし及びリブ表面の吸水性（親水性）をさらに向上できる。特に、通常走行（乾燥）時は、界面活性剤層が潤滑層として作用し、プーリと摩擦伝動面間の摩擦係数が低下する一方で、通水走行（湿潤）時には、摩擦伝動面上に水が濡れ広がり、耐熱性繊維（特に親水性繊維）により一層効率良く水膜が除去されるため、水膜による摩擦係数の低下を抑制できる。そのため、乾燥時と湿潤時の摩擦係数の差が小さくなり、被水時におけるミスアライメントによる発音を抑制できる。
【００５１】
界面活性剤にはイオン性界面活性剤、非イオン性界面活性剤が含まれる。イオン性界面活性剤としては、例えば、アルキルベンゼンスルホン酸塩、α−オレフィンスルホン酸塩、長鎖脂肪酸塩、アルカンスルホン酸塩、アルキル硫酸塩、ポリオキシエチレンアルキルエーテル硫酸エステル塩、ナフタレンスルホン酸ホルマリン縮合物、アルキルリン酸塩などのアニオン界面活性剤、アルキルトリメチルアンモニウム塩、ジアルキルジメチルアンモニウム塩などのカチオン界面活性剤、アルキルベタイン、イミダゾリン誘導体などの両性界面活性剤などが挙げられる。非イオン性活性剤としては、例えば、ポリエチレングリコール型（ポリオキシエチレン型）非イオン性界面活性剤、多価アルコール型非イオン性界面活性剤などが挙げられる。これらの界面活性剤は、単独で又は二種以上組み合わせて使用できる。これらのうち、耐熱性樹脂や樹脂成分との親和性に優れ、水との親和性にも優れる点から、非イオン性界面活性剤（特にポリエチレングリコール型非イオン性界面活性剤）が好ましい。
【００５２】
ポリエチレングリコール型非イオン性界面活性剤としては、例えば、ポリＥＯ高級アルコールエーテル（ポリＥＯラウリルエーテル、ポリＥＯステアリルエーテルなどのポリＥＯＣ１０−２６アルキルエーテル）、ポリＥＯポリＰＯ高級アルコールエーテル（例えば、ポリＥＯポリＰＯＣ１０−２６アルキルエーテル）；ポリＥＯオクチルフェニルエーテル、ポリＥＯノニルフェニルエーテルなどのアルキルフェノール−ＥＯ付加体；ポリＥＯモノラウレート、ポリＥＯモノオレエート、ポリＥＯモノステアレートなどの脂肪酸−ＥＯ付加体；グリセリンモノ又はジ高級脂肪酸エステル−ＥＯ付加体（グリセリンモノ又はジラウレート、グリセリンモノ又はジパルミテート、グリセリンモノ又はジステアレート、グリセリンモノ又はジオレートなどのグリセリンモノ又はジＣ１０−２６脂肪酸エステルのＥＯ付加体）、ペンタエリスリトール高級脂肪酸エステル−ＥＯ付加体（ペンタエリスリトールジステアレート−ＥＯ付加体などのペンタエリスリトールモノ乃至トリＣ１０−２６脂肪酸エステル−ＥＯ付加体など）、ジペンタエリスリトール高級脂肪酸エステル−ＥＯ付加体、ソルビトール高級脂肪酸エステル−ＥＯ付加体、ソルビット高級脂肪酸エステル−ＥＯ付加体、ポリＥＯソルビタンモノラウレート、ポリＥＯソルビタンモノステアレート、ポリＥＯソルビタントリステアレートなどのソルビタン脂肪酸エステル−ＥＯ付加体、ショ糖高級脂肪酸エステル−ＥＯ付加体などの多価アルコール脂肪酸エステル−ＥＯ付加体；ポリＥＯラウリルアミノエーテル、ポリＥＯステアリルアミノエーテルなどの高級アルキルアミン−ＥＯ付加体；ポリＥＯ椰子脂肪酸モノエタノールアマイド、ポリＥＯラウリン酸モノエタノールアマイド、ポリＥＯステアリン酸モノエタノールアマイド、ポリＥＯオレイン酸モノエタノールアマイドなどの脂肪酸アミド−ＥＯ付加体；ポリＥＯヒマシ油、ポリＥＯ硬化ヒマシ油などの油脂−ＥＯ付加体；ポリＰＯ−ＥＯ付加体（ポリＥＯ−ポリＰＯブロック共重合体など）などが挙げられる。これらのポリエチレングリコール型非イオン性界面活性剤は、単独で又は二種以上組み合わせて使用できる。なお、前記界面活性剤の例示において、「オキシエチレン」、「エチレンオキサイド」又は「エチレングリコール」を「ＥＯ」で表し、「オキシプロピレン」、「プロピレンオキサイド」又は「プロピレングリコール」を「ＰＯ」で表す。
【００５３】
多価アルコール型非イオン性界面活性剤としては、例えば、グリセリンモノステアレート、グリセリンモノオレエートなどのグリセリン脂肪酸エステル、ペンタエリストールモノステアレート、ペンタエリストールジ牛脂脂肪酸エステルなどのペンタエリスリトール脂肪酸エステル、ソルビタンモノラウレート、ソルビタンモノステアレートなどのソルビタン脂肪酸エステル、ソルビトールモノステアレートなどのソルビトール脂肪酸エステル、ショ糖脂肪酸エステル、多価アルコールのアルキルエーテル、椰子脂肪酸ジエタノールアマイドなどのアルカノールアミン類の脂肪酸アミド、アルキルポリグリコシドなどが挙げられる。これらの多価アルコール型非イオン性界面活性剤も単独で又は二種以上組み合わせて使用でき、前記ポリエチレングリコール型非イオン性界面活性剤と組み合わせて使用してもよい。
【００５４】
界面活性剤のＨＬＢ（親水−疎水バランス）は、耐熱性樹脂や樹脂成分との親和性の点から、例えば、５〜１５（特に７〜１５）程度であってもよい。
【００５５】
界面活性剤の融点は、取り扱い易く、ブリードアウトし易い点から、低いほど好ましく、下限は特に限定されない。界面活性剤の融点は、室温以下であるのが好ましく、例えば、２０℃以下（例えば、−４０℃〜２０℃）、好ましくは−３５℃〜１５℃（例えば、−３０℃〜１０℃）、さらに好ましくは−３５℃〜５℃程度であり、通常、０℃以下（例えば、−３５℃〜−５℃）程度であってもよい。
【００５６】
界面活性剤の割合は、繊維樹脂混合層全体に対して、０．１〜５０質量％、好ましくは０．５〜３０質量％、さらに好ましくは１〜２０質量％（特に１．５〜１０質量％）程度である。界面活性剤の割合が少なすぎると、耐熱性繊維の起毛による水の掃きだし及びリブ表面の吸水性を向上させる効果が低下し、多すぎると、繊維樹脂混合層の機械的特性が低下する。
【００５７】
（圧縮ゴム層）
圧縮ゴム層は、ベルトの種類に応じて、適宜選択でき、例えば、ゴム成分と加硫剤又は架橋剤とを含むゴム組成物やポリウレタン樹脂組成物などが利用される。
【００５８】
ゴム成分としては、加硫又は架橋可能なゴム、例えば、ジエン系ゴム（天然ゴム、イソプレンゴム、ブタジエンゴム、クロロプレンゴム、スチレンブタジエンゴム（ＳＢＲ）、アクリロニトリルブタジエンゴム（ニトリルゴム）、水素化ニトリルゴム、水素化ニトリルゴムと不飽和カルボン酸金属塩との混合ポリマーなど）、エチレン−α−オレフィンエラストマー、クロロスルフォン化ポリエチレンゴム、アルキル化クロロスルフォン化ポリエチレンゴム、エピクロルヒドリンゴム、アクリル系ゴム、シリコーンゴム、ウレタンゴム、フッ素ゴムなどが例示できる。
【００５９】
ポリウレタン組成物としては、例えば、ウレタンプレポリマーと硬化剤との硬化物（二液硬化型ポリウレタン）などが例示できる。
【００６０】
これらのうち、硫黄や有機過酸化物を含むゴム組成物（特に有機過酸化物加硫型ゴム組成物）で未加硫ゴム層を形成し、未加硫ゴム層を加硫又は架橋するのが好ましく、特に、樹脂成分としてオレフィン系樹脂を使用する場合に接着性に優れることに加えて、有害なハロゲンを含まず、耐オゾン性、耐熱性、耐寒性を有し、経済性にも優れる点から、エチレン−α−オレフィンエラストマー（エチレン−α−オレフィン系ゴム）が好ましい。
【００６１】
ゴム組成物は、通常、加硫剤又は架橋剤（特に有機過酸化物）、加硫促進剤、共架橋剤（架橋助剤、又は共加硫剤）を含んでいる。加硫剤又は架橋剤の割合は、ゴム成分１００質量部に対して、固形分換算で、１〜１０質量部（特に２〜５質量部）程度である。加硫促進剤の割合は、固形分換算で、ゴム成分１００質量部に対して、例えば、０．５〜１５質量部（特に２〜５質量部）程度である。架橋助剤の割合は、固形分換算で、ゴム１００質量部に対して、例えば、０．０１〜１０質量部（特に０．１〜５）質量部程度である。
【００６２】
ゴム組成物は短繊維を含んでいてもよい。短繊維としては、前記耐熱性繊維と同様の繊維を使用できる。これらの短繊維は、単独で又は二種以上組み合わせて使用できる。これらの繊維のうち、綿やレーヨンなどのセルロース系繊維、ポリエステル系繊維（ＰＥＴ繊維など）、ポリアミド繊維（ポリアミド６などの脂肪族ポリアミド繊維、アラミド繊維など）などが汎用される。
【００６３】
短繊維の平均繊維長は、例えば、１〜２０ｍｍ、好ましくは２〜１５ｍｍ、さらに好ましくは３〜１０ｍｍ程度であってもよい。短繊維の平均繊維径は、例えば、５〜５０μｍ、好ましくは７〜４０μｍ、さらに好ましくは１０〜３０μｍ程度である。短繊維の割合は、ゴム成分１００質量部に対して、例えば、１〜５０質量部（特に１０〜３５質量部）程度である。
【００６４】
ゴム組成物は、必要に応じて、慣用の添加剤、例えば、加硫助剤、加硫促進剤、加硫遅延剤、増強剤、充填剤、金属酸化物、軟化剤、加工剤又は加工助剤、老化防止剤、着色剤、粘着付与剤、可塑剤、カップリング剤、安定剤、潤滑剤、難燃剤、帯電防止剤などを含んでいてもよい。
【００６５】
圧縮ゴム層の厚みは、ベルトの種類に応じて適宜選択できるが、Ｖリブドベルトの場合、例えば、２〜２５ｍｍ、好ましくは２．２〜１６ｍｍ、さらに好ましくは２．５〜１２ｍｍ程度である。
【００６６】
（心線）
心線を構成する繊維としては、例えば、前記耐熱性繊維と同様の繊維が例示できる。これらのうち、高モジュラスの点から、ポリエステル繊維、アラミド繊維などの合成繊維、ガラス繊維、炭素繊維などの無機繊維などが汎用され、ベルトスリップ率を低下できる点から、ポリエステル繊維、アラミド繊維が特に好ましい。ポリエステル繊維はマルチフィラメント糸であってもよい。マルチフィラメント糸で構成される心線の繊度は、例えば、２０００〜１００００デニール（特に４０００〜８０００デニール）程度であってもよい。心線は、ゴム成分との接着性を改善するため、慣用の接着処理、例えば、レゾルシン−ホルマリン−ラテックス液（ＲＦＬ液）による接着処理に供してもよい。
【００６７】
心線としては、通常、マルチフィラメント糸を使用した撚りコード（例えば、諸撚り、片撚り、ラング撚りなど）を使用できる。心線の平均線径（撚りコードの繊維径）は、例えば、０．５〜３ｍｍ、好ましくは０．６〜２ｍｍ、さらに好ましくは０．７〜１．５ｍｍ程度であってもよい。心線はベルトの長手方向に埋設され、ベルトの長手方向に平行に所定のピッチで並列的に配設してもよい。
【００６８】
（接着層）
接着層にも前記圧縮ゴム層と同様のゴム組成物などが使用できる。接着層のゴム組成物において、ゴム成分としては、前記圧縮ゴム層のゴム組成物のゴム成分と同系統又は同種のゴムを使用する場合が多い。また、加硫剤又は架橋剤、共架橋剤又は架橋助剤、加硫促進剤などの添加剤の割合も、それぞれ、前記圧縮ゴム層のゴム組成物と同様の範囲から選択できる。接着層のゴム組成物は、さらに接着性改善剤（レゾルシン−ホルムアルデヒド共縮合物、アミノ樹脂など）を含んでいてもよい。
【００６９】
接着層の厚みは、ベルトの種類に応じて適宜選択できるが、Ｖリブドベルトの場合、例えば、０．４〜３．０ｍｍ、好ましくは０．６〜２．２ｍｍ、さらに好ましくは０．８〜１．４ｍｍ程度である。
【００７０】
（伸張層）
伸張層は、前記圧縮ゴム層と同様のゴム組成物で形成してもよく、帆布などの布帛（補強布）で形成してもよい。
【００７１】
補強布としては、例えば、織布、広角度帆布、編布、不織布などの布材などが挙げられる。これらのうち、平織、綾織、朱子織などの形態で製織した織布や、経糸と緯糸との交差角が９０〜１２０°程度の広角度帆布や編布などが好ましい。補強布を構成する繊維としては、前記短繊維と同様の繊維を利用できる。補強布は、前記ＲＦＬ液で処理（浸漬処理など）した後、ゴム組成物を擦り込むフリクション又は積層（コーティング）してゴム付帆布を形成してもよい。
【００７２】
これらのうち、ゴム組成物で形成された伸張層が好ましい。伸張層のゴム組成物において、ゴム成分としては、前記圧縮ゴム層のゴム組成物のゴム成分と同系統又は同種のゴムを使用する場合が多い。また、加硫剤又は架橋剤、共架橋剤又は架橋助剤、加硫促進剤などの添加剤の割合も、それぞれ、前記圧縮ゴム層のゴム組成物と同様の範囲から選択できる。
【００７３】
ゴム組成物には、背面駆動時に背面ゴムの粘着により発生する異音を抑制するために、さらに圧縮ゴム層と同様の短繊維が含まれていてもよい。短繊維は、ゴム組成物中でランダムに配向させてもよい。さらに、短繊維は一部が屈曲した短繊維であってもよい。
【００７４】
さらに、背面駆動時の異音を抑制するために、伸張層の表面（ベルトの背表面）に凹凸パターンを設けてもよい。凹凸パターンとしては、編布パターン、織布パターン、スダレ織布パターン、エンボスパターンなどが挙げられる。これらのパターンのうち、織布パターン、エンボスパターンが好ましい。さらに、前記繊維樹脂混合層で伸張層の背面の少なくとも一部を被覆してもよい。
【００７５】
伸長層の厚みは、ベルトの種類に応じて適宜選択できるが、Ｖリブドベルトの場合、例えば、０．４〜２ｍｍ、好ましくは０．５〜１．５ｍｍ、さらに好ましくは０．７〜１．２ｍｍ程度である。
【００７６】
［摩擦伝動ベルトの製造方法］
摩擦伝動ベルトは、円筒状ドラムに、伸張層を形成するためのシート（伸張層用シート）と、心線と、圧縮ゴム層を形成するための未加硫ゴムシート（圧縮ゴム層用シート）と、繊維樹脂混合層を形成するためのシート（繊維樹脂混合層用シート）とを順次巻き付ける巻付工程、巻き付けられた積層シートを金型に押し付けて、前記未加硫ゴムシートを加硫成形する加硫成形工程を経て製造される。
【００７７】
詳しくは、巻付工程では、まず、外周面に可撓性ジャケットを装着した内型に未加硫の伸張層用シートを巻き付け、この上に心線を螺旋状にスピニングし、更に未加硫の圧縮ゴム層用シートと、繊維樹脂混合層用シートを順次巻き付けて成形体を作製する。
【００７８】
この工程において、繊維樹脂混合層用シートは、繊維樹脂混合層を形成するための繊維及び樹脂を含んでいればよいが、耐熱性繊維（繊維樹脂混合層の原料である耐熱性繊維）としては、織布、編布、不織布などの形態で用いられるが、不織布の形態が好ましい。耐熱性繊維を含む不織布の重量（目付）は、特に限定されないが、例えば、１０〜８０ｇ／ｍ２（特に２０〜６０ｇ／ｍ２）程度である。
【００７９】
繊維樹脂混合層用シートにおいて、樹脂成分（繊維樹脂混合層の原料樹脂成分）としては、例えば、ペレット状、シート（フィルム）状、繊維状などが挙げられる。これらのうち、シート（フィルム）状、繊維状が好ましく、繊維状が特に好ましい。繊維状樹脂成分は、耐熱性繊維に対して繊維同士が絡み合うためか、耐熱性繊維と圧縮ゴム層との密着性をより向上できる。
【００８０】
繊維状樹脂成分は、単一の樹脂成分で構成されていてもよく、バイメタル構造（コンジュゲート繊維：特開２００２−３９２７５号公報に記載の繊維など）や芯鞘構造などの少なくとも２種の材質で形成された複合繊維であってもよい。芯鞘構造においては、鞘部が熱可塑性樹脂（ポリエチレンなど）で形成されていればよく、芯部は、熱可塑性樹脂（ポリプロピレンなど）の他、他の材質でもよく、例えば、耐熱性繊維であってもよい。
【００８１】
繊維状樹脂成分の繊維形態は、特に限定されず、モノフィラメント、マルチフィラメント、紡績糸（スパン糸）のいずれの形態であってもよく、これらの組み合わせであってもよい。
【００８２】
繊維状樹脂成分は、短繊維、長繊維のいずれであってもよい。平均繊維径は、例えば、５〜５０μｍ、好ましくは７〜４０μｍ、さらに好ましくは１０〜３５μｍ程度である。短繊維の場合、平均長さは、例えば、１〜５００ｍｍ、好ましくは２〜３００ｍｍ、さらに好ましくは３〜２００ｍｍ（特に５〜１００ｍｍ）程度である。
【００８３】
繊維状樹脂成分も織布、編布、不織布などの形態で用いられるが、不織布の形態が好ましい。繊維状樹脂成分で形成された不織布の重量（目付）は、特に限定されないが、例えば、１０〜８０ｇ／ｍ２（特に２０〜６０ｇ／ｍ２）程度である。
【００８４】
さらに、繊維状樹脂成分が不織布である場合、繊維状樹脂成分単独で形成された不織布であってもよく、耐熱性繊維と混綿した不織布（繊維状樹脂成分と耐熱性繊維とがランダムに絡み合った状態で形成された混綿不織布）であってもよい。特に、混綿不織布では、原料段階で繊維状の樹脂成分と耐熱性繊維とが絡合するため、耐熱性繊維の表面に大きな表面積で樹脂成分が付着し易い。耐熱性繊維を含む不織布における繊維状樹脂成分の割合は、繊維樹脂混合層における樹脂成分の割合が前述の範囲にあれば特に限定されないが、例えば、耐熱性繊維を含む不織布全体に対して１〜７５質量％、好ましくは５〜７０質量％、さらに好ましくは１０〜６５質量％程度である。
【００８５】
繊維樹脂混合層用シートは、熱可塑性樹脂を含むシート又は不織布（熱可塑性樹脂で形成されたシート又は熱可塑性繊維で形成された不織布）と、耐熱性繊維を含む不織布とを含むのが好ましい。熱可塑性樹脂を含むシート又は不織布と耐熱性繊維を含む不織布とは、予め積層されて一体化されていてもよい。また、熱可塑性樹脂を含むシート又は不織布と耐熱性繊維を含む不織布との二層に限定されず、各層において、異なる種類のシート又は不織布を用いることにより三層以上を組み合わせてもよい。樹脂成分を軟化点又は融点が加硫温度以下の熱可塑性樹脂で形成することにより、熱可塑性樹脂を含むシート（フィルム）又は不織布は、続く加硫成形工程で溶融して繊維樹脂混合層を形成する。特に、繊維状樹脂成分を用いた場合、例えば、加硫時（例えば、加硫温度１５０〜２００℃）に繊維状樹脂成分が融解してフィルム状となり、圧縮ゴム層表面を被覆することで摩擦係数が低下して耐発音性が向上する。一方、加硫時に軟化又は融解しない耐熱性繊維は、圧縮ゴム表面に所望の性能を付与できる。
【００８６】
本発明では、前記熱可塑性樹脂を含むシート又は不織布（１）を圧縮ゴム層側に配設し、耐熱性繊維を含む不織布（２）をプーリ側に配設するのが特に好ましい。前記熱可塑性樹脂を含むシート又は不織布を圧縮ゴム層側に配設することで、加硫時に軟化又は融解した熱可塑性樹脂（フィルム）を確実に圧縮ゴム層表面に被覆できる。耐熱性繊維を含む不織布をプーリ側に配置することで、摩擦伝動面に耐熱性繊維の特性（例えば、吸水性、耐摩耗性）を確実に反映できる。また、このような積層形態とすることで、耐熱性繊維の多くが圧縮ゴム層内部の界面近傍に埋設されるのを防止できる。すなわち、樹脂成分が耐熱性繊維の圧縮ゴム層内部の界面近傍への侵入程度（埋設深さ）を制御するバリアの役割を果たす。
【００８７】
繊維樹脂混合層が界面活性剤を含む場合、前記熱可塑性樹脂を含むシート又は不織布（１）及び耐熱性繊維を含む不織布（２）から選択された少なくとも一方が界面活性剤を含んでいればよい。すなわち、前述の割合で界面活性剤が繊維樹脂混合層中に含まれていれば、いずれか一方に含まれていても、両方に含まれていてもいずれでもよいが、界面活性剤との親和性や、適度に繊維樹脂混合層表面にブリードアウトできる点からは、前記熱可塑性樹脂を含むシート又は不織布（１）［特に圧縮ゴム層側に配設された前記熱可塑性樹脂を含むシート又は不織布（１）］が界面活性剤を含むのが好ましい。
【００８８】
繊維樹脂混合層に界面活性剤を含有させる方法は、シート又は不織布の成形時（押出成形時や紡糸時など）に、界面活性剤を溶融混練する方法であってもよく、シート又は不織布（特に不織布）の表面に界面活性剤を付着させる方法であってもよい。
【００８９】
シート又は不織布の表面に界面活性剤を付着させる方法としては、例えば、界面活性剤（又は界面活性剤を含む溶液又は分散液）をスプレーする方法、界面活性剤（又は界面活性剤を含む溶液又は分散液）をコーティングする方法、界面活性剤（又は界面活性剤を含む溶液又は分散液）中にシート又は不織布を浸漬する方法などが挙げられる。溶液又は分散液中に含まれる溶媒としては、例えば、水、炭化水素類（例えば、トルエン、キシレンなどの芳香族炭化水素類）、エーテル類（例えば、ジエチルエーテルなどの鎖状エーテル；ジオキサン、テトラヒドロフランなどの環状エーテル）、ケトン類（例えば、アセトン、メチルエチルケトンなどの鎖状ケトン；シクロヘキサノンなどの環状ケトン）、エステル類（例えば、酢酸エチルなどの酢酸エステル）などの汎用の溶媒が挙げられる。これらの溶媒は、単独で又は混合溶媒としてもよい。溶液又は分散液中における界面活性剤の濃度は、例えば、０．１〜８０質量％、好ましくは０．３〜５０質量％、さらに好ましくは０．５〜３０質量％程度である。
【００９０】
さらに、本発明では、前記巻付工程において、軟化点又は融点が加硫温度以下の熱可塑性樹脂を含むシート又は不織布（１）（特に不織布）と、耐熱性繊維を含む不織布（２）とが予め一体化された積層体を用いて、前記熱可塑性樹脂を含むシート又は不織布を圧縮ゴム層側に配設し、耐熱性繊維を含む不織布をプーリ側に配設するのが特に好ましい。前記積層体を用いることにより、巻付工程において、前記熱可塑性樹脂を含むシート又は不織布と耐熱性繊維を含む不織布とをそれぞれ別個に巻き付ける必要がなく、一回の巻き付けで済み、作業性及び生産性に優れる上に、別個の巻き付けによる界面への影響（隙間の発生など）も抑制でき、繊維樹脂混合層の均一性を向上できるためか、ベルトの耐発音性及び耐摩耗性も向上できる。
【００９１】
なお、熱可塑性樹脂を含むシートと耐熱性繊維を含む不織布との割合は、少なくとも一方の厚み（例えば、巻き付け回数を増やす、厚みの異なるものを組み合わせる、など）を変更することで容易に調整することができる。
【００９２】
加硫成形工程では、巻き付けられた積層シートを金型に押し付けて少なくとも圧縮ゴム層の未加硫ゴムシートを加硫成形できればよいが、例えば、Ｖリブドベルトでは、内周面に複数のリブ型を刻設した外型に成形体を巻き付けた内型を同心的に設置する。このとき、外側の内周面と成形体の外周面との間には所定の間隙が設けられている。その後、可撓性ジャケットを外型の内周面（リブ型）に向かって膨張（例えば、１〜６％程度）させて成形体（例えば、耐熱性繊維を含む不織布、熱可塑性樹脂を含むシート又は不織布、圧縮ゴム層）をリブ型に圧入し、加硫を行なう。最後に、内型を外型より抜き取り、複数のリブを有する加硫ゴムスリーブを外型より脱型した後、カッターを用いてこの加硫ゴムスリーブをベルト長手方向に所定の幅にカットしてＶリブドベルトに仕上げる。
【００９３】
本発明では、前記加硫成形工程において、加硫温度未満の温度で予備加熱した後、加硫するのが好ましい。すなわち、可撓性ジャケットを膨張させた後の加硫パターンとしては、低温（例えば、６０〜１２０℃、好ましくは６５〜１１０℃、さらに好ましくは７０〜１００℃程度）の状態で所定の時間（例えば、２〜２０分、好ましくは３〜１５分程度）を維持する第一ステップ（予備加熱処理）と、その後、加硫温度（例えば、１５０〜２００℃、好ましくは１６０〜１８０℃程度）まで温度を上昇させ、この状態で所定の時間（例えば１０〜４０分、好ましくは１５〜３０分）を維持する第二ステップとで構成するのが好ましい。ここで、低温として６０〜１２０℃の温度範囲に設定したのは、圧縮ゴム層（特に表層）を形成するゴム組成物及び熱可塑性樹脂の流動性を小さく（又は少なく）して、耐熱性繊維の大部分が圧縮ゴム層内部の界面近傍に取り込まれるのを防止するためである。
【００９４】
このように第一ステップ（低温）と第二ステップ（高温）の二つの温度ステップを設けることで、リブ表面を繊維樹脂混合層で被覆するとともに、耐熱性繊維の一部を圧縮ゴム層内部の界面近傍に埋設できる。
【００９５】
なお、前記製造方法は一例であり、この製造方法に限定されるものではなく、材質やその特性に応じて様々に変更できる。例えば、加硫パターンは少なくとも第一ステップと第二ステップとを備えておればよく、第一ステップと第二ステップとの間に他の温度ステップを設けてもよい。
【００９６】
製造方法以外では、部材やその厚みなどを適宜組み合わせて行なってもよく、熱可塑性樹脂や圧縮ゴム層の表層を形成するゴム組成物として流動性の低い組成物を用いてもよい。
【実施例】
【００９７】
以下に、実施例に基づいて本発明をより詳細に説明するが、本発明はこれらの実施例によって限定されるものではない。以下の例において、各物性における測定方法又は評価方法、実施例に用いた原料を以下に示す。
【００９８】
［摩擦係数］
摩擦係数測定試験は、直径１２１．６ｍｍの駆動プーリ（Ｄｒ．）、直径７６．２ｍｍのアイドラープーリ（ＩＤＬ．１）、直径６１．０ｍｍのアイドラープーリ（ＩＤＬ．２）、直径７６．２ｍｍのアイドラープーリ（ＩＤＬ．３）、直径７７．０ｍｍのアイドラープーリ（ＩＤＬ．４）、直径１２１．６ｍｍの従動プーリ（Ｄｎ．）を順に配置した図３にレイアウトを示す試験機を用いて行なった。そして、試験機の各プーリにＶリブドベルトを掛架し、通常走行時（ＤＲＹ）においては室温条件下で、駆動プーリの回転数を４００ｒｐｍ、従動プーリへのベルト巻き付け角度を２０°とし、一定荷重（１８０Ｎ／６Ｒｉｂ）を付与してベルトを走行させ、従動プーリのトルクを０〜最大２０Ｎｍまで上げていき、従動プーリに対するベルトの滑り速度が最大（１００％スリップ）となったときの従動プーリのトルク値より、以下の式を用いて摩擦係数μを求めた。
【００９９】
μ＝ｌｎ（Ｔ１／Ｔ２）／α
ここで、Ｔ１は張り側張力、Ｔ２は緩み側張力、αは従動プーリへのベルト巻き付け角度であり、それぞれ以下の式で求めることができる。
【０１００】
Ｔ１＝Ｔ２＋Ｄｎ．トルク（ｋｇｆ・ｍ）／（１２１．６／２０００）
Ｔ２＝１８０（Ｎ／６Ｒｉｂ）
α＝π／９（ｒａｄ）（式中、ｒａｄはラジアンを意味する）
注水走行時（ＷＥＴ）は、図４にレイアウトを示すように、駆動プーリの回転数を８００ｒｐｍ、従動プーリへのベルト巻き付け角度を４５°（α＝π／４）、従動プーリの入口付近に１分間で３００ｍｌの水を注水し続ける以外は通常走行時と同じであり、摩擦係数μも上記式を用いて同様に求めた。
【０１０１】
［発音限界角度］
ミスアライメント発音評価試験（発音限界角度）は、直径９０ｍｍの駆動プーリ（Ｄｒ．）、直径７０ｍｍのアイドラープーリ（ＩＤＬ．１）、直径１２０ｍｍのミスアライメントプーリ（Ｗ/Ｐ）、直径８０ｍｍのテンションプーリ（Ｔｅｎ．）、直径７０ｍｍのアイドラープーリ（ＩＤＬ．２）、直径８０ｍｍのアイドラープーリ（ＩＤＬ．３）を順に配置した図５にレイアウトを示す試験機を用いて行ない、アイドラープーリ（ＩＤＬ．１）とミスアライメントプーリの軸離（スパン長）を１３５ｍｍに設定し、全てのプーリが同一平面上（ミスアライメントの角度０°）に位置するように調整した。そして、試験機の各プーリにＶリブドベルトを掛架し、室温条件下で、駆動プーリの回転数が１０００ｒｐｍ、ベルト張力が３００Ｎ／６Ｒｉｂとなるように張力を付与し、駆動プーリの出口付近においてＶリブドベルトの摩擦伝動面に定期的（約３０秒間隔）に５ｃｃの水を注水して、ミスアライメント（ミスアライメントプーリを各プーリに対し手前側にずらす）でベルトを走行させた時の発音（ミスアライメントプーリの入口付近）が発生するときの角度（発音限界角度）を求めた。また、通常走行時（注水しない以外は注水走行時と同じレイアウト、走行条件）においても同様に発音限界角度を求めた。発音限界角度の数値が大きいほど耐発音性に優れていることを示し、被水時及び通常走行時の発音限界角度が２．０°以上であれば、耐発音性は良好と判断した。
【０１０２】
［摩耗率］
摩耗試験は、直径１２０ｍｍの駆動プーリ（Ｄｒ．）、直径８５ｍｍのアイドラープーリ（ＩＤＬ．）、直径１２０ｍｍの従動プーリ（Ｄｎ．）、直径６０ｍｍのテンションプーリ（Ｔｅｎ．）を順に配置した図６にレイアウトを示す試験機を用いて行なった。そして、試験機の各プーリにＶリブドベルトを掛架し、駆動プーリの回転数を４９００ｒｐｍ、アイドラープーリ及びテンションプーリへのベルト巻き付け角度を９０°、従動プーリ負荷を１０．４ｋＷとし、一定荷重（９１ｋｇ／６Ｒｉｂ）を付与してベルトを雰囲気温度１２０℃で２４時間走行させた。摩耗率は、摩耗量（＝走行前のベルト質量−走行後のベルト質量）を走行前のベルト質量で除して求めた。摩耗率の数値が低いほど耐摩耗性に優れており、この数値が１．４％以下であれば、耐摩耗性は良好と判断した。
【０１０３】
［埋設深さ］
Ｖリブドベルトをベルト幅方向と平行方向に切断し、この切断面（特に、リブ側部）を走査型電子顕微鏡（日本電子（株）製「ＪＳＭ５９００ＬＶ」）を用いて、拡大観察（倍率は５０倍）して、圧縮ゴム層内部における繊維樹脂混合層との界面近傍に埋設した耐熱性繊維の埋設深さを、以下のようにして測定した。
【０１０４】
１）リブ側面は略直線であるため、繊維樹脂混合層と圧縮層の表層（耐熱性繊維埋設層）との境界に沿って直線Ａを引く。
【０１０５】
２）リブ溝側、リブ先端側、それらの間における任意の５点（耐熱性繊維埋設層と、その内側の埋設していない層との境界）から直線Ａに向かって垂線Ｂを引き、垂線Ｂの長さを求める。
【０１０６】
３）２）で求めた５点の垂線Ｂの長さを平均して、耐熱性繊維の埋設深さとする。
【０１０７】
［樹脂成分］
圧縮ゴム層側に配置され、繊維樹脂混合層の樹脂成分となる熱可塑性樹脂を表１に示す。
【０１０８】
熱可塑性樹脂Ａ（タマポリ社製「マルチトロン」）は、材質がポリエチレン（融点１３０℃）のフィルム形態であり、厚みが０．０４ｍｍ、重量が３８ｇ／ｍ２である。
【０１０９】
熱可塑性樹脂Ｂ１（出光ユニテック社製「ストラテック」）は、材質がポリエチレン（融点１２５℃）の長繊維からなる不織布形態であり、厚みが０．２０ｍｍ、重量が３０ｇ／ｍ２である。
【０１１０】
熱可塑性樹脂Ｂ２（出光ユニテック社製「ストラテック」）は、材質がポリエチレン（融点１２５℃）の長繊維からなる不織布形態であり、繊維中に４質量％の非イオン系界面活性剤が練り込まれており、厚みが０．２０ｍｍ、重量が３０ｇ／ｍ２である。
【０１１１】
熱可塑性樹脂Ｃ（シンワ社製「スパンボンド不織布」）は、材質は芯がポリプロピレン（融点１７０℃）、鞘がポリエチレン（融点１２５℃）の複合長繊維からなる不織布形態であり、厚みが０．２０ｍｍ、重量が３０ｇ／ｍ２である。
【０１１２】
【表１】
2014111981.tif 000003
【０１１３】
プーリ側に配置され、耐熱性繊維を含む不織布を表２に示す。不織布Ｅ（ユニチカ社製「コットエース」）は、材質が綿の不織布形態であり、厚みが０．１５ｍｍ、繊維長が５〜５０ｍｍ、重量が３０ｇ／ｍ２である。不織布Ｆ（ユニチカ社製「コットエース」）は、材質が綿の不織布形態であり、厚みが０．２３ｍｍ、繊維長が５〜５０ｍｍ、重量が４５ｇ／ｍ２である。不織布Ｇ（オーミケンシ社製「クラビオン」）は、材質がレーヨンの不織布形態であり、厚みが０．２０ｍｍ、繊維長が５〜５０ｍｍ、重量が４０ｇ／ｍ２である。不織布Ｈ（オーミケンシ社製「クラビオン」）は、材質がレーヨンとポリエチレンテレフタレート（ＰＥＴ）であり、これらがランダムに混在（レーヨンとＰＥＴとの重量比は７０：３０）した不織布形態となっており、厚みが０．２１ｍｍ、繊維長はレーヨンが約５０ｍｍ、ＰＥＴは長繊維であり、重量が４０ｇ／ｍ２である。不織布Ｉ（オーミケンシ社製「クラビオン」）は、材質がレーヨンとＰＥＴとポリエチレン（融点１２５℃）であり、これらがランダムに混在（レーヨンとＰＥＴとポリエチレンとの重量比は７０：１５：１５）した不織布形態となっており、厚みが０．２１ｍｍ、繊維長さはレーヨンが約５０ｍｍ、ＰＥＴ及びポリエチレンは長繊維であり、重量が４０ｇ／ｍ２である。不織布Ｊ（出光ユニテック社製「ストラマイティ」）は、材質がパルプの不織紙（厚み０．２５ｍｍ）と、ポリエチレン（融点１２５℃、厚み０．１０ｍｍ）の不織布とを積層した２層構造となっており、繊維長はパルプが２〜７ｍｍ、ポリエチレンが長繊維であり、重量が３０ｇ／ｍ２である。
【０１１４】
【表２】
2014111981.tif 000004
【０１１５】
［圧縮ゴム層、伸張層、心線の原料］
ＥＰＤＭポリマー：デュポン・ダウエラスマージャパン（株）製「ＩＰ３６４０」
カーボンブラックＨＡＦ：東海カーボン（株）製「シースト３」
老化防止剤：精工化学（株）製「ノンフレックスＯＤ３」
ナイロン短繊維：ナイロン６６、繊維長約０．５ｍｍ
有機過酸化物：化薬アクゾ（株）製「パーカドックス１４ＲＰ」
心線：１，０００デニールのＰＥＴ繊維を２×３の撚り構成で、上撚り係数３．０、下撚り係数３．０で緒撚りしたトータルデニール６，０００のコードを接着処理した繊維。
【０１１６】
実施例１〜９及び比較例１〜２
（圧縮ゴム層及び伸張層の形成）
表３に示すゴム組成物をバンバリーミキサーで混練し、カレンダーロールによって圧延することによって、圧縮後ゴム層又は伸張層を形成するためのゴムシートを、それぞれ、２．５ｍｍ又は０．８ｍｍの厚みで作製した。
【０１１７】
【表３】
2014111981.tif 000005
【０１１８】
（ベルトの製造）
外周面に可撓性ジャケットを装着した内型に未加硫の伸張層用シートを巻き付け、この上に心線を螺旋状にスピニング（ピッチ１．１５ｍｍ、テンション５ｋｇｆ）し、更に未加硫の圧縮ゴム層用シートと、繊維樹脂混合層用シートを順次巻き付けてベルトを作製した。加硫は、可撓性ジャケットの膨張圧を１．０ＭＰａとし、温度８０℃、時間１０分で維持（第一ステップ）した後、温度を１７０℃まで上昇させ、その温度を２０分維持（第二ステップ）して行なった。加硫完了後は室温付近まで冷却し、外型から内型を抜き取った後、加硫ベルトスリーブを外型より脱型した。
【０１１９】
繊維樹脂混合層用シートとしては、表１の樹脂成分と表２の耐熱性繊維を含む不織布とを夫々組み合わせて、表４に示す１０種類のベルトを作製した。実施例１〜７及び９は、表１の樹脂成分を圧縮ゴム層側に配置し、その上（プーリ側）に表２の不織布を配置した。実施例８は、表２の不織布Ｊとしてポリエチレン不織布の層を圧縮ゴム層側（パルプ不織紙はプーリ側）に配置しており、表１の熱可塑性樹脂は用いていない。比較例１は表１の熱可塑性樹脂Ｂのみであり、表２の不織布は用いていない。比較例２は表２の不織布Ｆのみで、表１の熱可塑性樹脂は用いていない。作製したベルトは、ベルト長さが１１００ｍｍ、リブ形状がＫ型の６リブであった。
【０１２０】
得られたベルトの乾燥（ＤＲＹ）時と注水（ＷＥＴ）時の摩擦係数及び発音限界角度と、摩耗率を表４に示す。
【０１２１】
【表４】
2014111981.tif 000006
【０１２２】
表４の結果から明らかなように、実施例１〜９の乾燥時の摩擦係数は比較例１に比べて高くなった。これは、比較例１のリブ表面が摩擦係数の低い樹脂単体の層で覆われているのに対し、実施例１〜９は、摩擦係数が低い樹脂と、それよりも摩擦係数の高い繊維とが混在した繊維樹脂混合層で被覆されているためと考えられる。比較例２は熱可塑性樹脂を配置していなかったため、不織布を構成する繊維の大部分が圧縮ゴム層内部に取り込まれており、摩擦伝動面には摩擦係数の高いゴム組成物が多く占有して摩擦係数が最も高くなった。このことから、圧縮ゴム層側に配置した樹脂成分が、プーリ側に配置した不織布（耐熱性繊維）の圧縮ゴム層内部への一定以上の侵入を制限しているのが分かる（比較例２と、同一不織布Ｆを用いた実施例３、４との比較）。
【０１２３】
実施例１〜９の注水時の摩擦係数は比較例１に比べて高くなった。これは、不織布の材質に吸水性の高いセルロース系繊維（耐熱性繊維）を用い、摩擦伝動面とプーリ間の水膜の形成を抑制したためである。比較例２のＶリブドベルトは、乾燥時の高い摩擦係数と、局所的に摩擦伝動面に露出したセルロース系繊維の吸水効果により、摩擦係数は最も高くなった。
【０１２４】
実施例１〜９、比較例１の乾燥時における発音限界角度は２°以上と高く、リブズレが発生（ミスアライメントの角度としては３．５〜４°の範囲）するまで発音はしなかった。比較例２も発音限界角度は２°以上であり耐発音性に問題はないが、他に比べると発音限界角度は低く、耐発音性に劣る結果となった。
【０１２５】
注水時の耐発音性をみると、実施例１〜８は発音限界角度が２°以上となっており耐発音性に優れているのが分かる。比較例１は注水時の摩擦係数が最も低く、プーリ上でスリップし易くなったため、発音限界角度は１．９°と実施例に比べて低くなった。比較例２は、乾燥時と注水時の摩擦係数の変化（差）が最も大きくなったため、発音限界角度は１．５°と最も耐発音性に劣る結果となった。
【０１２６】
実施例１〜９の摩耗率は比較例１、２に比べて低くなっており、耐摩耗性に優れているのが分かる。比較例１は、不織布（耐熱性繊維）で補強されていない熱可塑性樹脂単体の層でリブ表面が覆われているため、摩耗率は高くなった。比較例２は摩擦係数が他に比べて高く、プーリとの擦れ（摩擦力）が強く作用したため、耐摩耗性は最も低い結果となった。
【０１２７】
実施例８について、リブ側面（摩擦伝動面）をマイクロスコープにて観察し、リブ断面を走査型電子顕微鏡にて観察した。その結果を図７及び８に示す。なお、図７のリブ側面は、写真の下側がリブ先端側であり、上側がリブ溝側（ベルト背面側）である。また、耐熱性繊維の圧縮ゴム層内部の界面近傍に埋設する深さ（埋設深さ）を表４に示した。
【０１２８】
図７から明らかなように、実施例８のベルトは、リブ側面が全域に亘って繊維樹脂混合層で被覆され、繊維がその表面より露出している。また、図８から明らかなように、リブ断面は、外側（プーリ側）に厚みの薄い繊維樹脂混合層が存在し、その内側には耐熱性繊維が圧縮ゴム層内部の界面近傍に埋設（埋設深さは２０μｍ）しているのが分かる。
【０１２９】
実施例９は、実施例２と比較して、ＤＲＹ時の摩擦係数が低下し、ＷＥＴ時の摩擦係数が増加したため、ＤＲＹ／ＷＥＴの摩擦係数の差が小さくなった。ＷＥＴ時の発音限界角度は３．０°からリブズレまで発音無しになり、被水時の耐発音性が向上した。このような現象は、圧縮層側の樹脂成分（ポリエチレン層）に含まれる界面活性剤は、プーリ側の耐熱性繊維を含む不織布層表面にブリードアウトし、摩擦伝動面に界面活性剤膜が形成されたためであると推定できる。
【産業上の利用可能性】
【０１３０】
本発明の摩擦伝動ベルトは、例えば、Ｖリブドベルト、ローエッジＶベルト、平ベルトなどの各種の摩擦伝動ベルトに利用でき、特に、研磨による生産工程が煩雑であるＶリブドベルト、Ｖベルトなどに有用である。
【符号の説明】
【０１３１】
１…心線
２…圧縮ゴム層
３…リブ部
４…短繊維
５…伸張層
６…接着層
１１，１２，１３，１４，１５，１６…耐熱性繊維
【図１】
2014111981.tif 000007
【図２】
2014111981.tif 000008
【図３】
2014111981.tif 000009
【図４】
2014111981.tif 000010
【図５】
2014111981.tif 000011
【図６】
2014111981.tif 000012
【図７】
2014111981.tif 000013
【図８】
2014111981.tif 000014